【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
LDPC符号を受信して復号する復号手段と、
前記復号手段における消費電力に影響を及ぼす通信状況を示す指標である状況情報に基づいて、前記復号の頻度を制御する復号制御手段と
を備える受信装置。
【請求項２】
前記復号制御手段は、前記復号の頻度を符号語単位で制御する
請求項１に記載の受信装置。
【請求項３】
前記LDPC符号と、そのLDPC符号の復号結果に基づいて、BERを算出する算出手段
をさらに備え、
前記復号制御手段は、前記算出手段により算出された前記BERを前記状況情報として用いて、前記頻度を制御する
請求項１に記載の受信装置。
【請求項４】
前記復号手段は、新たな前記LDPC符号を受信するか、または、前記LDPC符号の復号に成功するまで前記復号を繰り返し、
前記復号制御手段は、前記LDPC符号の復号回数、または、新たな前記LDPC符号を受信するまでに前記LDPC符号の復号に成功しなかった回数を前記状況情報として用いて、前記頻度を制御する
請求項１に記載の受信装置。
【請求項５】
前記復号制御手段は、前記LDPC符号のC/Nを前記状況情報として用いて、前記頻度を制御する
請求項１に記載の受信装置。
【請求項６】
前記復号制御手段は、前記頻度を段階的に変更する
請求項１に記載の受信装置。
【請求項７】
前記復号制御手段はまた、前記LDPC符号の受信間隔に基づいて前記復号の速度を制御する
請求項１に記載の受信装置。
【請求項８】
前記復号手段は、新たな前記LDPC符号を受信するか、または、前記LDPC符号の復号に成功するまで前記復号を繰り返して復号結果を出力し、
前記復号制御手段は、前記受信間隔と、前記復号結果の出力タイミングに基づいて、前記復号結果が出力されてから新たな前記LDPC符号が受信されるまでの前記復号が行われない空き時間を算出し、その空き時間に基づいて、前記復号の速度を制御する
請求項７に記載の受信装置。
【請求項９】
受信装置が、
LDPC符号を受信して復号する復号ステップと、
復号時の消費電力に影響を及ぼす通信状況を示す指標である状況情報に基づいて、前記復号の頻度を制御する復号制御ステップと
を含む受信方法。
【請求項１０】
受信されたLDPC符号に対して処理を実行するコンピュータに、
前記LDPC符号を復号する復号ステップと、
復号時の消費電力に影響を及ぼす通信状況を示す指標である状況情報に基づいて、前記復号の頻度を制御する復号制御ステップと
を含む処理を実行させるプログラム。
【請求項１１】
伝送路より信号を取得する取得手段と、
前記取得手段により取得された信号に対して伝送路復号処理を行う伝送路復号処理手段と
を備え、
前記伝送路復号処理手段は、
前記信号のLDPC符号を復号する復号手段と、
前記復号手段における消費電力に影響を及ぼす通信状況を示す指標である状況情報に基づいて、前記復号の頻度を制御する復号制御手段と
を備える
受信システム。
【請求項１２】
伝送路より取得した信号に対して伝送路復号処理を行う伝送路復号処理手段と、
前記伝送路復号処理手段による伝送路復号処理後の前記信号に対して情報源復号処理を行う情報源復号処理手段と
を備え、
前記伝送路復号処理手段は、
前記信号のLDPC符号を復号する復号手段と、
前記復号手段における消費電力に影響を及ぼす通信状況を示す指標である状況情報に基づいて、前記復号の頻度を制御する復号制御手段と
を備える
受信システム。
【請求項１３】
伝送路より取得した信号に対して伝送路復号処理を行う伝送路復号処理手段と、
前記伝送路復号処理手段による伝送路復号処理後の前記信号に基づいて画像または音声を出力する出力手段と
を備え、
前記伝送路復号処理手段は、
前記信号のLDPC符号を復号する復号手段と、
前記復号手段における消費電力に影響を及ぼす通信状況を示す指標である状況情報に基づいて、前記復号の頻度を制御する復号制御手段と
を備える
受信システム。
【請求項１４】
伝送路より取得した信号に対して伝送路復号処理を行う伝送路復号処理手段と、
前記伝送路復号処理手段による伝送路復号処理後の前記信号の記録を制御する記録制御手段と
を備え、
前記伝送路復号処理手段は、
前記信号のLDPC符号を復号する復号手段と、
前記復号手段における消費電力に影響を及ぼす通信状況を示す指標である状況情報に基づいて、前記復号の頻度を制御する復号制御手段と
を備える
受信システム。
【手続補正２】
【補正対象書類名】明細書
【補正対象項目名】００３０
【補正方法】変更
【補正の内容】
【００３０】
本発明の第２の側面の受信システムは、伝送路より信号を取得する取得手段と、前記取得手段により取得された信号に対して伝送路復号処理を行う伝送路復号処理手段とを備え、前記伝送路復号処理手段は、前記信号のLDPC符号を復号する復号手段と、前記復号手段における消費電力に影響を及ぼす通信状況を示す指標である状況情報に基づいて、前記復号の頻度を制御する復号制御手段とを備える受信システムである。
【手続補正３】
【補正対象書類名】明細書
【補正対象項目名】００３２
【補正方法】変更
【補正の内容】
【００３２】
本発明の第３の側面の受信システムは、伝送路より取得した信号に対して伝送路復号処理を行う伝送路復号処理手段と、前記伝送路復号処理手段による伝送路復号処理後の前記信号に対して情報源復号処理を行う情報源復号処理手段とを備え、前記伝送路復号処理手段は、前記信号のLDPC符号を復号する復号手段と、前記復号手段における消費電力に影響を及ぼす通信状況を示す指標である状況情報に基づいて、前記復号の頻度を制御する復号制御手段とを備える受信システムである。
【手続補正４】
【補正対象書類名】明細書
【補正対象項目名】００３４
【補正方法】変更
【補正の内容】
【００３４】
本発明の第４の側面の受信システムは、伝送路より取得した信号に対して伝送路復号処理を行う伝送路復号処理手段と、前記伝送路復号処理手段による伝送路復号処理後の前記信号に基づいて画像または音声を出力する出力手段とを備え、前記伝送路復号処理手段は、前記信号のLDPC符号を復号する復号手段と、前記復号手段における消費電力に影響を及ぼす通信状況を示す指標である状況情報に基づいて、前記復号の頻度を制御する復号制御手段とを備える受信システムである。
【手続補正５】
【補正対象書類名】明細書
【補正対象項目名】００３６
【補正方法】変更
【補正の内容】
【００３６】
本発明の第５の側面の受信システムは、伝送路より取得した信号に対して伝送路復号処理を行う伝送路復号処理手段と、前記伝送路復号処理手段による伝送路復号処理後の前記信号の記録を制御する記録制御手段とを備え、前記伝送路復号処理手段は、前記信号のLDPC符号を復号する復号手段と、前記復号手段における消費電力に影響を及ぼす通信状況を示す指標である状況情報に基づいて、前記復号の頻度を制御する復号制御手段とを備える受信システムである。
【手続補正６】
【補正対象書類名】明細書
【補正対象項目名】０１６０
【補正方法】変更
【補正の内容】
【０１６０】
なお、取得部２０１、伝送路復号処理部２０２、及び、情報源復号処理部２０３は、それぞれ、１つの独立した装置（ハードウエア（IC(Integrated Circuit)等）、又はソフトウエアモジュール）として構成することが可能である。
【手続補正７】
【補正対象書類名】図面
【補正対象項目名】図２
【補正方法】変更
【補正の内容】
【図２】
2010278910.tif 000001